(57)【要約】【課題】繰り返して使用できるおむつ濡れ告知装置を提供する。【解決手段】尿液により、おむつ（６０）が濡れた場合アラーム（５０）で告知するように設定されたおむつ濡れ告知装置であって、ケーシング（１０）を有し、前記ケーシング（１０）の下方に突出して検出ユニット（２０）が配置され、前記検出ユニット（２０）の下部一表面には検出回路（２１、２２）が設けられ、前記ケーシング（１０）の内部には検出ＩＣ電気回路（３０）が収容され、前記検出ユニット（２０）の上端部には前記検出ＩＣ電気回路（３０）が連結され、前記検出回路（２１、２２）が前記検出ＩＣ電気回路（３０）上に延伸されて、前記検出ＩＣ電気回路（３０）に搭載された検出ＩＣに接続され、前記検出ＩＣ電気回路（３０）には、電池（４０）とアラーム（５０）がさらに搭載されて前記検出ＩＣに接続されていることを特徴とする。【選択図】図１
0003105756.tif 000002
【実用新案登録請求の範囲】
【請求項１】
尿液により、おむつ（６０）が濡れた場合アラーム（５０）で告知するように設定されたおむつ濡れ告知装置であって、
ケーシング（１０）を有し、前記ケーシング（１０）の下方に突出して検出ユニット（２０）が配置され、前記検出ユニット（２０）の下部一表面には検出回路（２１、２２）が設けられ、前記ケーシング（１０）の内部には検出ＩＣ電気回路（３０）が収容され、前記検出ユニット（２０）の上端部には前記検出ＩＣ電気回路（３０）が連結され、前記検出回路（２１、２２）が前記検出ＩＣ電気回路（３０）上に延伸されて、前記検出ＩＣ電気回路（３０）に搭載された検出ＩＣに接続され、前記検出ＩＣ電気回路（３０）には、電池（４０）とアラーム（５０）がさらに搭載されて前記検出ＩＣに接続されていることを特徴とする、おむつ濡れ告知装置。
【請求項２】
前記検出ユニット（２０）の一端が、おむつ（６０）に設けられた検出ユニット挿入部（６１）に挿入されて使用されることを特徴とする請求項１に記載のおむつ濡れ告知装置。
【請求項３】
前記ケーシング（１０）が、プレート（１１）とカバー（１２）とからなり、且つ前記カバー（１２）の表面には開口部（１２１）が形成されることを特徴とする請求項１に記載のおむつ濡れ告知装置。
【考案の詳細な説明】
【技術分野】
【０００１】
本考案は、おむつ濡れ告知装置、特におむつの濡れを検出する手段とスピーカなどのアラームで知らせる手段とを備えた、おむつの濡れ状態を検出及び告知するための、おむつ濡れ告知装置に関するものである。
【背景技術】
【０００２】
頻繁に使用される通常のおむつは、単に着用者の尿液が溢れ出る（即ち、尿液がおむつの吸水飽和度を超える量になる）ことを防止して衣類やベッド・シートを濡らすことを防止するものである。
しかし、幼児がおむつをつけて尿液が溢れ出たとき、新しいおむつに交換するのが遅れると、幼児の臀部に細菌が感染するようなことがあり、また小便が禁じられない年配者の場合、または意識喪失の患者（例えば手術後にまだ意識が回復されていない患者など）の場合、締め付ける形態のおむつになるので、着用者には不快感が免れない。
【０００３】
そこで、これまでにおむつ本体の吸水層、内部保護層、弾性帯などに改善がなされてきたが、依然として尿液が溢れ出て始めて周囲の者が気がつき交換するので、交換が遅れるような状況が続いている。
【０００４】
このような問題点を解決すべく、おむつが濡れた場合に種々のアラームを発して介護者におむつの交換の必要性を知らせるようにした提案がなされている。
例えば、おむつの内部に二本の平行する金属ワイヤを設け、尿液により金属ワイヤ間が導電性になって電気的な信号を発するおむつ構造〔特許文献１参照〕がある。
しかしながら、おむつの内部に金属ワイヤを設けることから、着用者に不快感を与え、さらに価格的にも不利であった。
【０００５】
この他、水分検知手段を配設したおむつ〔特許文献２参照〕、おむつ着用者のおむつを着用した位置に検知用共振回路を配置し、外部から検知用電磁波を印加して検知用共振回路の周辺の水分量変化に基づく共振周波数の変化を検知する、おむつ濡れ検知方法〔特許文献３参照〕、低屈折率顔料をバインダー樹脂に分散状に固着させた多孔質層を設け、多孔質層が尿の吸収により色変化して目視できるようにした排尿表示付きおむつ〔特許文献４参照〕、絶縁体の表面に一対の導電性パターンを形成して、これをおむつの中に装着しておむつの中が濡れたとき電気抵抗が変化するセンサーにより発光する感知器を備えて視認できるようにした、おむつ濡れ感知器〔特許文献５参照〕などがある。
【特許文献１】台湾特許公報第２１００１２号公報
【特許文献２】特開２００２−２２４１５１号公報
【特許文献３】特開２００２−０７１５８４号公報
【特許文献４】特開２００１−３２７５３０号公報
【特許文献５】特開平１１−１７８８５５号公報
【考案の開示】
【考案が解決しようとする課題】
【０００６】
上記のような問題を解決するために、本考案は、おむつに出し入れが可能であるので繰り返して装着使用でき、おむつの濡れを検出し、スピーカなどのアラームにより知らせる、おむつの濡れ告知装置を提供することを目的とする。
【課題を解決するための手段】
【０００７】
前記の目的を達成するためになされた本考案による、おむつ濡れ告知装置は、尿液により、おむつ（６０）が濡れた場合アラーム（５０）で告知するように設定されたおむつ濡れ告知装置であって、ケーシング（１０）を有し、前記ケーシング（１０）の下方に突出して検出ユニット（２０）が配置され、前記検出ユニット（２０）の下部一表面には検出回路（２１、２２）が設けられ、前記ケーシング（１０）の内部には検出ＩＣ電気回路（３０）が収容され、前記検出ユニット（２０）の上端部には前記検出ＩＣ電気回路（３０）が連結され、前記検出回路（２１、２２）が前記検出ＩＣ電気回路（３０）上に延伸されて、前記検出ＩＣ電気回路（３０）に搭載された検出ＩＣに接続され、前記検出ＩＣ電気回路（３０）には、電池（４０）とアラーム（５０）がさらに搭載されて前記検出ＩＣに接続されていることを特徴とする。
【考案を実施するための最良の形態】
【０００８】
以下、本考案の具体的な実施の形態を添付図面を参照しながら詳細に説明する。
【０００９】
本考案によるおむつ濡れ告知装置を、図１、図２に示した。
図１はおむつ濡れ告知装置の構造を示す分解斜視図、図２はその外観斜視図である。
おむつ濡れ告知装置１は、ケーシング１０を有し、ケーシング１０はプレート１１とカバー１２とからなり、検出ＩＣ電気回路３０をその中に包み、また、カバー１２の表面にはアラーム音が出るための開口部１２１が形成されている。
検出ＩＣ電気回路３０には、検出ＩＣ、電池４０、さらにアラーム５０が搭載されている。
電池４０としては例えば、リチウム電池が使用される。
また、アラーム５０としては例えば、警告音声を出す薄型告知スピーカ、光の点滅する光源などが使用される。
【００１０】
また、おむつ濡れ告知装置１は、柔軟性のある細長い薄片体の検出ユニット２０を有している。検出ユニット２０は、その一端がプレート１１に固定され、ケーシング１０の下方に突出し、突出している部分には一対の検出回路２１、２２が設けられている。
検出ユニット２０は、着用に際しておむつ６０に設けられた検出ユニット挿入部６１に差し込まれて、おむつ６０の表層布材に密着させ、尿液による濡れを検出できるようになっている。
【００１１】
その際、おむつ６０に微量の尿液がある場合にも検出して必要以上にアラームを発して、おむつ交換頻度が過度とならないように、検出回路２１、２２の検出面は、おむつ６０の吸水層の背面部に表層布材を介して配設され、且つ、検出回路２１、２２の検出面はおむつ６０の表層布材に貼り付けられている。
【００１２】
次に、図３と図４により本考案のおむつ濡れ告知装置１をおむつに装着して利用される状況を説明する。図３は、おむつ濡れ告知装置１をおむつ６０に装着する際の状態を説明する図であり、図４は装着した後の状態を説明する図である。
【００１３】
おむつ６０には、その下部部位にある防水層の内側部に検出ユニット２０が差し込まれるための検出ユニット挿入部６１を予め形成してある。そして、おむつを着用させる際に、あるいは予め検出ユニット２０を検出ユニット挿入部６１に挿入して、おむつの着用者に装着する。おむつ６０の内層の表面が尿液で濡れると、尿液が吸水層より毛細作用によって検出回路２１、２２の表面に到達し、検出回路２１、２２間を導電状態として、検出ＩＣ電気回路３０によりそれを検知してアラーム５０によって周りの人々（介護者）に知らせる。
【産業上の利用可能性】
【００１４】
本考案のおむつ濡れ告知装置１は、濡れたおむつ６０を取り外し、必要により洗浄してから、新しいおむつ６０に再度挿入して使用できるので、繰り返して複数回使用可能である。そのため、価格的に安く使用でき、利用可能性に富む装置となる。
【００１５】
上記に説明した実施の形態は、単に本考案を説明するためのものであって、本考案の請求範囲を限定して定義するものではない。同じような効果を有する他の変更や改造や一部転用などのものもすべて本考案の実用新案登録請求範囲内に含まれる。
【図面の簡単な説明】
【００１６】
【図１】本考案のおむつ濡れ告知装置の構造を示す分解斜視図である。
【図２】本考案のおむつ濡れ告知装置の構造を示す外観斜視図である。
【図３】本考案のおむつ濡れ告知装置をおむつに装着する前の使用状態を示す図である。
【図４】本考案のおむつ濡れ告知装置をおむつに装着した後の使用状態を示す図である。
【符号の説明】
【００１７】
１    おむつ濡れ告知装置
１０    ケーシング
１１    プレート
１２    カバー
１２１    開口部
２０    検出ユニット
２１、２２    検出回路
３０    検出ＩＣ電気回路
４０    電池
５０    アラーム
６０    おむつ
６１    検出ユニット挿入部
【図１】
0003105756.tif 000003
【図２】
0003105756.tif 000004
【図３】
0003105756.tif 000005
【図４】
0003105756.tif 000006